(57)【特許請求の範囲】
【請求項１】
容器本体内の内容物が注出される抽出口を密封する分離部と、
前記抽出口を覆う上蓋と、
を備える容器であって、
上蓋は、前記容器本体側に螺合される第１螺合部を有し、開栓後に前記分離部を支持し、
前記容器本体側は、前記第１螺合部と螺合する第２螺合部を有し、
前記第１及び第２螺合部のいずれか一方において、少なくとも１条のネジ山は、所定の締め込み量に達した際に前記上蓋の傾斜を開始させる位置から前記上蓋を前記容器本体に対して締め込む際の根元側までで膨出する第１膨出部を有することを特徴とする容器。
【請求項２】
前記第１膨出部は、前記上蓋の傾斜を開始させる位置から前記第１又は第２螺合部の前記ネジ山の終端まで設けられることを特徴とする請求項１に記載の容器。
【請求項３】
前記第１螺合部の前記第１膨出部は、前記少なくとも１条のネジ山の上面が膨出することを特徴とする請求項１及び２のいずれか一項に記載の容器。
【請求項４】
前記第２螺合部の前記第１膨出部は、前記少なくとも１条のネジ山の下面が膨出することを特徴とする請求項１及び２のいずれか一項に記載の容器。
【請求項５】
前記第１及び第２螺合部は、多条ネジを有し、
前記多条ネジのネジ山のうち前記第１膨出部を有するネジ山以外のネジ山は、前記第１膨出部よりも根元側にずれた位置において前記第１膨出部と同じ膨出量の第２膨出部を有することを特徴とする請求項１から４までのいずれか一項に記載の容器。
【請求項６】
前記第１及び第２螺合部は、多条ネジを有し、
前記第１膨出部は、前記多条ネジのネジ山のうち半数以下のネジ山に設けられることを特徴とする請求項１から５までのいずれか一項に記載の容器。
【請求項７】
前記抽出口の抽出側の内壁の径は、前記上蓋の外壁の径の１／２以上１未満であることを特徴とする請求項１から６までのいずれか一項に記載の容器。
【請求項８】
前記分離部は、上部周縁に係合部を有し、
前記上蓋は、天井壁下面から垂下されて前記係合部の周縁を収容可能な環状壁と、前記環状壁の内周面に突出して前記係合部を前記環状壁内に拘束する突出部とを有することを特徴とする請求項１から７までのいずれか一項に記載の容器。
【請求項９】
前記抽出口を有する中栓を備え、
前記第２螺合部は、前記容器本体及び前記中栓の少なくとも一方側に設けられることを特徴とする請求項１から８までのいずれか一項に記載の容器。
【請求項１０】
前記分離部は、前記抽出口部に切断部を介して連接することを特徴とする請求項１から９までのいずれか一項に記載の容器。
【請求項１１】
前記上蓋の傾斜を開始させる位置は、前記分離部が前記上蓋に支持される直前及び支持されるときのいずれか一方であることを特徴とする請求項１から１０までのいずれか一項に記載の容器。
【請求項１２】
前記上蓋の傾斜を開始させる位置は、前記切断部が切断される直前及び切断されるときのいずれか一方である請求項１０に記載の容器。
【発明の詳細な説明】
【技術分野】
【０００１】
本発明は、開栓前又は開栓時に上蓋を締め込むタイプの容器に関する。
【背景技術】
【０００２】
容器として、分離部を有する中栓を備え、使用に際して上蓋によって分離部を中栓本体から分離させ、中栓本体を容器本体に残したまま、分離部を上蓋とともに中栓本体から取り除くものがある（例えば、特許文献１参照）。この特許文献１の容器では、上蓋をボトルの開口部へ締め込むことによって、中栓本体と分離部とを連結している切断部を切断するとともに、それによって中栓本体から分離された分離部を、上蓋の天井壁内面から下方に延びる環状壁の突出部によって保持させている（特許文献１の図７及び図８参照）。
【０００３】
また、別の容器の蓋として、切断部の破断に必要な開栓トルクを小さくするため、上蓋の装着壁に対して偏心した位置に環状の切断部を有するものがある（特許文献２参照）。特許文献２の容器蓋では、開栓時に上蓋が回動されることにより、切断部の一部で初期破断し、その後、上蓋の回動に伴い破断位置が初期破断から順次進行して最終的に切断部が完全に破断する。
【０００４】
ところで、特許文献１のような容器において、抽出口が大きい場合や、切断部が設けられている中栓の材質が硬い場合、開栓のためにより大きなトルク（締め込み力）が必要となり、開栓作業が困難になりうる。また、特許文献２の容器の蓋では、切断部の位置に対応して開口部が中栓の抽出ノズルに対して偏心しており、構造上、開口部の大きさに制限が生じる。
【先行技術文献】
【特許文献】
【０００５】
【特許文献１】特開２０１２−２２４３７５号公報
【特許文献２】特開２０１３−４３６８７号公報
【発明の概要】
【０００６】
本発明は、開栓前又は開栓時における締め込み力を低減することができる容器を提供することを目的とする。
【０００７】
上記目的を解決するために、本発明に係る容器は、容器本体内の内容物が注出又は抽出される抽出口を密封する分離部と、抽出口を覆う上蓋と、を備える容器であって、上蓋は、容器本体側に螺合される第１螺合部を有し、開栓後に分離部を支持し、容器本体側は、第１螺合部と螺合する第２螺合部を有し、第１及び第２螺合部のいずれか一方において、少なくとも１条のネジ山は、所定の締め込み量に達した際に上蓋の傾斜を開始させる位置から上蓋を容器本体に対して締め込む際の根元側までで膨出する第１膨出部を有する。ここで、上蓋は、上蓋単体である場合の他に、上蓋本体と上蓋本体の内側に組み付けられた別部材とで構成されるものも含む。容器本体側とは、容器が容器本体と中栓とで構成される場合、容器本体及び中栓の少なくとも一方を意味する。また、第１及び第２螺合部は、上蓋及び容器本体側のネジにおいて、実質的に螺合するネジ部分である。また、上蓋を容器本体に対して締め込む際の根元側とは、第１及び第２螺合部の螺合を緩める側を意味する。具体的には、上蓋に第１膨出部が設けられる場合、上蓋から見て螺合を緩める方向側であり、容器本体に第１膨出部が設けられる場合、容器本体から見て螺合を緩める方向側であることを意味する。なお、第１膨出部は、少なくとも実質的に螺合するネジ部分に設けられているが、螺合に影響しない形式的なネジ部分に設けられていてもよい。
【０００８】
上記容器では、上蓋を傾斜させることにより、上蓋を容器本体側に対して偏当たりさせる。これにより、その当接部位に応力が集中するため、開栓前又は開栓時に締め込む構造の容器において、開栓前又は開栓時の締め込み力を比較的小さくすることができる。特に、広口容器等の抽出口が大きい場合、切断部が設けられる部材の材質が硬い場合、上蓋の外径と抽出口の内径（切断部の径）との距離が短い場合等には、開栓のために大きな締め込み力を必要とするが、このような容器の場合でも締め込み力を低減することができる。
【０００９】
本発明の具体的な側面では、上記容器において、第１膨出部は、上蓋の傾斜を開始させる位置から第１又は第２螺合部のネジ山の終端まで設けられる。容器が締め込みによって分離部を切断する構造の場合、切断部の円周に沿って連続的に切断することができる。また、容器が締め込み時に分離部を切断せずに、分離部を上蓋に係合させる構造の場合、上蓋の円周に沿って連続的に係合させることができる。
【００１０】
本発明の別の側面では、第１螺合部の第１膨出部は、少なくとも１条のネジ山の上面が膨出する。この場合、上蓋を特別な形状にすることで、締め込む際に上蓋を傾斜させている。
【００１１】
本発明のさらに別の側面では、第２螺合部の第１膨出部は、少なくとも１条のネジ山の下面が膨出する。この場合、容器本体側を特別な形状にすることで、締め込む際に上蓋を傾斜させている。
【００１２】
本発明のさらに別の側面では、第１及び第２螺合部は、多条ネジを有し、多条ネジのネジ山のうち第１膨出部を有するネジ山以外のネジ山は、第１膨出部よりも根元側にずれた位置において第１膨出部と同じ膨出量の第２膨出部を有する。この場合、根元側のネジ山のネジ山幅が全てのネジ山で揃い、上蓋を容器本体に最後まで締め込んだ状態（容器を封した状態）において上蓋を傾斜させずに容器本体に締め込むことができる。
【００１３】
本発明のさらに別の側面では、第１及び第２螺合部は、多条ネジを有し、第１膨出部は、多条ネジのネジ山のうち半数以下のネジ山に設けられる。この場合、開栓前又は開栓時に効率良く上蓋を傾斜させることができる。
【００１４】
本発明のさらに別の側面では、抽出口の抽出側の内壁の径は、上蓋の外壁の径の１／２以上１未満である。抽出口が比較的大きくても、ネジ山が第１膨出部を有することにより上蓋が傾斜することで局所的に容器本体側に応力を集中させることができるため、締め込み力を低減することができる。
【００１５】
本発明のさらに別の側面では、分離部は、上部周縁に係合部を有し、上蓋は、天井壁下面から垂下されて係合部の周縁を収容可能な環状壁と、環状壁の内周面に突出して係合部を環状壁内に拘束する突出部とを有する。容器が締め込みによって上蓋と分離部とが係合する構造の場合、係合部に付随する部分に局所的に応力を集中させ、開栓前の締め込み力を低減することができる。
【００１６】
抽出口を有する中栓を備え、第２螺合部は、容器本体及び中栓の少なくとも一方側に設けられる。
【００１７】
本発明のさらに別の側面では、分離部は、抽出口部に切断部を介して連接する。容器が締め込みによって分離部を切断する構造の場合、切断部に付随する部分に局所的に応力を集中させ、開栓時の締め込み力を低減することができる。
【００１８】
本発明のさらに別の側面では、上蓋の傾斜を開始させる位置は、分離部が上蓋に支持される直前及び支持されるときのいずれか一方である。
【００１９】
本発明のさらに別の側面では、上蓋の傾斜を開始させる位置は、切断部が切断される直前及び切断されるときのいずれか一方である。
【図面の簡単な説明】
【００２０】
【図１】第１実施形態に係る容器の要部を断面にして示した正面図である。
【図２】容器の動作又は使用方法を示した断面図であり、（ａ）は使用前の状態を示し、（ｂ）は中栓の係合部が上蓋の環状壁内に収容された状態を示し、（ｃ）は切断部を切断した状態を示し、（ｄ）は上蓋を容器本体から離脱させた状態を示している。
【図３】容器におけるネジの形状を説明する概念的な説明図であり、（ａ）は４条のネジの始点及び終点を示し、（ｂ）はそれらのネジの断面形状を示している。
【図４】第１実施形態に係る容器の開栓時の上蓋の傾斜状態を示した図である。
【図５】第２実施形態に係る容器におけるネジの形状を説明する概念的な説明図であり、（ａ）は４条のネジの始点及び終点を示し、（ｂ）はそれらのネジの断面形状を示している。
【図６】第２実施形態に係る容器の開栓時の上蓋の傾斜状態を示した図である。
【発明を実施するための形態】
【００２１】
図１乃至図６を参照して、本発明に係る容器の具体的な実施形態について説明する。
【００２２】
〔第１実施形態〕
第１実施形態の容器１は、図１に示すように、ボトルである容器本体１０と、その容器本体１０の口部１１に装着される中栓２０と、中栓２０を覆うようにして容器本体１０の口部１１に螺着される上蓋３０とを備える。上蓋３０と容器本体１０とには、第１螺合部５１と第２螺合部５２とがそれぞれ形成されており、両螺合部５１，５２を締め込み、つまりねじ込みによって互いに係合させることで、容器本体１０に対して上蓋３０を着脱可能に固定することが可能になる。ここで、第１及び第２螺合部５１，５２は、上蓋３０及び容器本体１０のネジ３１，１２において、実質的に螺合するネジ部分５ａである。ネジ３１，１２のうち実質的なネジ部分５ａ以外は、形式的なネジ部分５ｂとなっている。
【００２３】
容器本体１０はガラス、合成樹脂等によって形成された有底筒状成形品であって、上端の口部１１は円筒状を成している。そして、口部１１の外周面には、第２螺合部５２として雄ネジ１２が形成されている。雄ネジ１２は、多条ネジであって複数のネジ山１２ａからなり、具体的には例えば４条のネジ山１２ａからなる。つまり、雄ネジ１２のリードは、ピッチの４倍となっている。
【００２４】
中栓２０は、樹脂製の一体成形品であり、上部に抽出口２１ｂが形成された中栓本体２１と、中栓本体２１の抽出口２１ｂを密封する分離部２３とによって構成されている。中栓本体２１は、下部周縁に容器本体１０の口部１１の上端部１１ｕに係止される係止部２１ａを有する。分離部２３は、中栓本体２１の上端開口部２１ｕと切断部２２によって連結されている。つまり、分離部２３は、抽出口２１ｂの内縁の抽出口部２１ｅに切断部２２を介して連接する。切断部２２は、開栓時に上蓋３０を容器本体１０側に締め込むことにより切断される。
【００２５】
中栓本体２１は、全体として円筒状に形成され、上端開口部２１ｕにおいて上方に向けて口径が増大するリップ２１ｃを有している。このリップ２１ｃは、容器本体１０内の液体を注ぎ出す際の液切れを良くする。中栓本体２１の係止部２１ａは、下端面に環状凹部２１ｄが形成されたもので、その環状凹部２１ｄを容器本体１０の口部１１の上端部１１ｕに嵌合圧着させることによって容器本体１０に強固に係止される。
【００２６】
分離部２３は、中栓本体２１の内径と略同じ外径を有する筒状部２３ａと、当該筒状部２３ａの開口を閉塞する天井壁２３ｂとを有している。また、この分離部２３は、筒状部２３ａの上端から半径方向外方に延設されたフランジ状の係合部２３ｃを有している。
【００２７】
上蓋３０は、樹脂製の一体成形品であり、周壁３０ａと天井壁３０ｂとを備える。周壁３０ａの内周面には、上記容器本体１０の雄ネジ１２に螺合する雌ネジ３１が第１螺合部５１として形成されている。この上蓋３０は、中栓２０を覆って埃、水気等の外部環境から保護する。なお、雌ネジ３１は、ピッチやリードに関して中栓２０側の雄ネジ１２に対応する形状を有している。つまり、雌ネジ３１は、多条ネジであって複数のネジ山３１ａからなり、具体的には例えば４条のネジ山３１ａからなる。
【００２８】
上蓋３０の天井壁３０ｂの内面には、上記中栓２０の係合部２３ｃを収容するための環状壁３２が垂下されている。この環状壁３２は、内周面３２ａが上蓋３０の回転軸ＡＸと平行に形成され、肉厚が下端に行くにしたがって薄くなるように形成されており、環状壁３２の外側面３２ｂ側はテーパ状になっている。
【００２９】
また、上蓋３０の環状壁３２の内周面３２ａには、開栓時に中栓２０の係合部２３ｃを環状壁３２内に拘束する突出部３３が半径方向中心に向けて形成されている。つまり、環状壁３２は、天井壁３０ｂと突出部３３との間に中栓２０の分離部２３を保持可能とする保持部として機能する。実施形態の突出部３３は、環状壁３２の内周面３２ａに沿って全周に亘って形成された環状の突起であるが、環状壁３２の内周面３２ａに沿って局所的に形成されたものであってもよい。
【００３０】
以下、第１及び第２螺合部５１，５２に関する方向について説明する。第１螺合部５１又は雌ネジ３１に関して、紙面の下方向に相当するＡＢ方向は、上蓋３０を容器本体１０に対して締め込む方向となっており、紙面の上方向に相当するＣＤ方向は、上蓋３０を容器本体１０に対して緩める方向（上蓋３０から見て緩める方向）となっている。逆に、第２螺合部５２又は雄ネジ１２に関して、ＣＤ方向は、容器本体１０を上蓋３０に対して締め込む方向となっており、ＡＢ方向は、容器本体１０を上蓋３０に対して緩める方向（容器本体１０から見て緩める方向）となっている。
【００３１】
以下に、容器本体１０への中栓２０及び上蓋３０の組み付けの作業と、それらが組み付けられた容器１の開封動作とについて説明する。
【００３２】
先ず容器本体１０に液体を注入した後、図２（ａ）に示すように、中栓２０の係止部２１ａを容器本体１０の口部１１に装着する。次いで、中栓２０に上蓋３０を被せて雌ネジ３１を容器本体１０の雄ネジ１２に螺合させる。この際、第１螺合部５１と第２螺合部５２とは、最も奥に至らないように適度に締め込まれて係合した状態となっている。この状態で商品が販売展示される。
【００３３】
この状態の容器１から内容物を取り出す場合には、先ず上蓋３０を締め込む方向すなわち時計回りに回転させる。すると、上蓋３０の環状壁３２に設けた突出部３３が中栓２０の係合部２３ｃに達する。さらに上蓋３０を締め込む方向に回転させると、係合部２３ｃの周縁が突出部３３によって撓められる。さらに上蓋３０を締め込む方向に回転させると、係合部２３ｃの周面が突出部３３を乗り越える。この状態で、図２（ｂ）に示すように、中栓２０の分離部２３又はその係合部２３ｃは、上蓋３０の天井壁３０ｂと突出部３３との間に拘束される。なお、図２（ｂ）の状態で商品を販売展示してもよい。
【００３４】
この状態から、さらに上蓋３０を締め込む方向に回転させると、図２（ｃ）に示すように、上蓋３０が降下され、これに押されて分離部２３も降下し、分離部２３と中栓本体２１との境界に設けた切断部２２が切断される。切断部２２の切断前後において、上蓋３０の姿勢を維持して一様に降下させるのではなく、後に詳述するが、ネジ山１２ａ等の形状の調整によって一時的に上蓋３０を回転軸ＡＸに対して若干傾斜又は傾動させることで、切断部２２の切断を比較的容易に達成できるようになり、上蓋３０の締め込みに必要な力を低減することができる。上蓋３０を回転させる前において上蓋３０は傾斜しておらず第１及び第２螺合部５１，５２の螺合状態に余裕がある（ガタツキ有り）。その後、上蓋３０を回転させることで上蓋３０が傾斜しつつ開栓し、最終的に上蓋３０が傾斜しない状態で第１及び第２螺合部５１，５２がしっかりと螺合する（ガタツキ無し）。
【００３５】
この状態で、上蓋３０を緩める方向すなわち反時計回りに回転させると、図２（ｄ）に示すように、上蓋３０に伴って、環状壁３２に保持された分離部２３が中栓本体２１から離脱されて開栓される。したがって、抽出口２１ｂから容器本体１０内の液体を注ぎ出すことが可能となる。
【００３６】
また、容器本体１０に栓をするために、上蓋３０を再度容器本体１０の口部１１に装着すると、上蓋３０に保持された分離部２３の筒状部２３ａが、図２（ｃ）に示すように、中栓本体２１の抽出口２１ｂに装着され、それによって抽出口２１ｂが封止される。
【００３７】
以下、図３（ａ）及び３（ｂ）等を参照して、上蓋３０を締め込む際に一時的に上蓋３０を傾斜させる手法について説明する。上記実施形態の容器１において、容器本体１０に設けた第２螺合部５２又は雄ネジ１２は、４条のネジ山１２ａからなる。各条のネジ山１２ａは、例えば９０°間隔で、始点から終点まで、回転軸ＡＸの周りに略１８０°の長さを有している。つまり、図３（ａ）に示すように、各条のネジ山１２ａの始点又は上端からの角度θ１，θ２，θ３，θ４の範囲は、０°から１８０°となっている。
【００３８】
そして、雄ネジ１２のうち第１条のネジ山１２ａは、後述する角ε°位置の手前である角α°位置（所定の締め込み量に達した際に上蓋３０の傾斜を開始させる位置）から終点（容器本体１０から見て締め込む際の根元側）まで、第１膨出部１２ｇを有し、下面すなわちＡＢ方向側（容器本体１０から見て緩める方向側）の面が膨出している。つまり、第１条のネジ山１２ａにおいて、第１膨出部１２ｇが設けられている部分のネジ山幅は、第１膨出部１２ｇが設けられていない部分のネジ山幅より大きくなっている。本実施形態において、上蓋３０の傾斜を開始させる位置は、上蓋３０と分離部２３とが当接するときの位置、すなわち切断部２２が切断される直前の位置となっている。第１膨出部１２ｇは、容器本体１０から見て一様なピッチで上昇する基準螺旋軌道に対して比較的小さな角α°位置から下端の終点まで、例えばネジ山１２ａのネジ山幅が２ｍｍとして１ｍｍ程度の膨出量だけＡＢ方向すなわち下方向に変位した形状に成形されている。つまり、第１条のネジ山１２ａは、始点から近い角α°位置から下端の終点までの範囲で回転軸ＡＸ方向の厚みが増した状態となっている。
【００３９】
また、雄ネジ１２のうち第１条以外の他の条のネジのネジ山１２ａは、上記角ε°位置よりも締め込む際の根元側（つまり下側）の角β°位置からそれぞれの終点まで、第２膨出部１２ｈを有し、下面すなわちＡＢ方向側の面が膨出している。つまり、第２条〜第４条のネジ山１２ａにおいて、第２膨出部１２ｈが設けられている部分のネジ山幅は、第２膨出部１２ｈが設けられていない部分のネジ山幅より大きくなっている。第２膨出部１２ｈは、容器本体１０から見て一様なピッチで上昇する基準螺旋軌道に対して比較的大きな角β°位置から下端の終点まで、例えば１ｍｍ程度の膨出量だけＡＢ方向に変位した形状に成形されている。つまり、第１条以外の他の条のネジ山１２ａは、始点から離れた角β°位置から下端の終点までの範囲で回転軸ＡＸ方向の厚みが増した状態となっている。角β°位置において、全ての条のネジ山１２ａに膨出部１２ｇ，１２ｈが現われる。
【００４０】
したがって、本実施形態の容器１では、上蓋３０の天井壁３０ｂが中栓２０の分離部２３に当接した角ε°位置（図２（ｂ）の状態）で、図４に示す例のように、上蓋３０に設けた雌ネジ３１のネジ山３１ａ又はその上面３１ｍが雄ネジ１２のうち容器本体１０の下方に向かって膨出（断面部Ａ参照）した第１条のネジ山１２ａの第１膨出部１２ｇの膨出面１２ｆ（図４における破線から実線の位置に下方変位した面）に当接しつつ螺進し、一方、他の第２条〜第４条のネジ山１２ａの下面が基準螺旋軌道の基準面１２ｋ（図４に破線で示す面）に沿ってネジ山３１ａの上面３１ｍに当接しつつ螺進するため、上蓋３０は紙面上で右下方に傾斜することになる。図４中、Ｓ１は、上蓋３０が傾斜していない状態における天井壁３０ｂの位置を示し、Ｓ２は、上蓋３０が傾斜している状態における天井壁３０ｂの位置を示す。なお、角α°位置において上蓋３０が傾斜し始めるため、上蓋３０が傾斜する際の回転角度の範囲θは、α≦θ＜β（α≦ε＜β）となる。回転角度の範囲θは、ネジ山の係合又は螺合で見た場合、図３（ａ）の角度θ１〜θ４に対応する。
【００４１】
その結果、中栓２０の分離部２３の係合部２３ｃの右端が下方に押下されることになり、切断部２２の右端に集中する応力が働き、それによってその部位又は領域ＡＲの切断部２２が優先的に切断される。そして、上蓋３０のさらなる螺進によって切断部２２の他の部分も順次切断されることになる。螺進の際、上蓋３０は、容器本体１０から見て略一定の範囲内において傾斜する。よって、開栓時の螺進において、上蓋３０の傾斜で最も下がる位置が若干ずれつつも、上蓋３０が容器本体１０側に全体的に変位し切断部２２が切断される。
【００４２】
また、上記実施形態の容器１では、分離部２３を切り離した開栓後に、容器本体１０に栓をするために上蓋３０を再度容器本体１０の口部１１に装着すると、上蓋３０に保持された分離部２３の筒状部２３ａが、図２（ｃ）に示すように、中栓本体２１の上端開口部２１ｕに装着され、それによって抽出口２１ｂが封止される。その際、図３（ｂ）に示すように、角β°位置から締め込む際の根元側で、上蓋３０側に設けた雌ネジ３１の４つのネジ山３１ａの上面３１ｍが容器本体１０側の雄ネジ１２の第１条〜第４条のネジ山１２ａの第１及び第２膨出部１２ｇ，１２ｈの下面における膨出面１２ｆに略均等な力で当接するため、上蓋３０は、回転軸ＡＸに対して殆ど傾斜せず復元された状態（容器本体１０と同芯な状態）になり、この状態から終点まで下方に向けて滑らか、かつ、ガタツキ無く螺進する。この状態においては、上蓋３０が容器本体１０に対して同芯状態で容器本体１０に装着され、すなわち、分離部２３の筒状部２３ａが中栓本体２１の上端開口部２１ｕに均一に圧接される。
【００４３】
以上説明した容器によれば、締め込む際に、上蓋３０を傾斜させることにより、上蓋３０を容器本体１０側（本実施形態では中栓２０の切断部２２に付随する部分）に対して偏当たりさせる。これにより、その当接部位に応力が集中するため、開栓前又は開栓時に締め込む構造の容器１において、開栓前又は開栓時の締め込み力を比較的小さくすることができる。特に、広口容器等（抽出口２１ｂの抽出側の内壁の径が抽出口２１ｂの抽出側付近の上蓋３０の外壁の径の１／２以上１未満程度）の中栓２０の上端開口部２１ｕが大きい、すなわち切断部２２の周長が長い場合、中栓２０の材質が硬い場合、上蓋３０の外径と抽出口２１ｂの内径（切断部２２の径）との距離が短い場合等には、開栓のために大きな切断力を必要とするが、このような容器の場合でも締め込み力を低減することができる。例えば、広口容器の場合において、上蓋３０の外壁が力点で、抽出口２１ｂの抽出側の内壁が作用点となり、力点と作用点との位置が近くなる。そのため、開栓時又は開栓時の締め込み力がより多く必要になるが、上蓋３０を傾斜させることにより、開栓時又は開栓時の締め込み力が軽減される。
【００４４】
〔第２実施形態〕
以下、第２実施形態の容器について説明する。第２実施形態の容器１は、第１実施形態の容器１を一部変更したものであり、特に説明しない事項は、第１実施形態の容器１と同様である。なお、上記図３及び図４で示した第１実施形態では、上蓋３０の天井壁３０ｂ内面が中栓２０の分離部２３に当接した状態で、上蓋３０が傾動した状態になるように、容器本体１０の雄ネジ１２のうち一部のネジ山１２ａの下側面を先行して膨出させているが、第２実施形態では、容器本体１０側の雄ネジ１２と上蓋３０側の雌ネジ３１との役割を入れ替える。
【００４５】
図５及び図６に示すように、第２実施形態の場合、上蓋３０に設けた雌ネジ３１のネジ山３１ａの上面を膨出（断面部Ｂ参照）させる。第１条のネジ山３１ａは、角ε°位置の手前である角α°位置（所定の締め込み量に達した際に上蓋３０の傾斜を開始させる位置）から終点（上蓋３０から見て締め込む際の根元側）まで、第１膨出部３１ｇを有し、上面すなわちＣＤ方向側（上蓋３０から見て緩める方向側）の面が膨出している。本実施形態において、上蓋３０の傾斜を開始させる位置は、上蓋３０と分離部２３とが当接するときの位置、すなわち切断部２２が切断される直前の位置となっている。また、雌ネジ３１のうち第１条以外の他の条のネジ山３１ａは、上記角ε°位置よりも締め込む際の根元側（つまり上側）の角β°位置からそれぞれの終点まで、第２膨出部３１ｈを有し、上面すなわちＣＤ方向側の面が膨出している。
【００４６】
したがって、第２実施形態の容器１では、上蓋３０の天井壁３０ｂが中栓２０の分離部２３に当接した角ε°位置（図２（ｂ）の状態）で、図６に示す例のように、上蓋３０に設けた雌ネジ３１のネジ山３１ａうち上方に向かって膨出（断面部Ｂ参照）した第１条のネジ山３１ａの膨出面３１ｆ（図６における破線から実線の位置に上方変位した面）が容器本体１０のネジ山１２ａの下面１２ｍに当接しつつ螺進し、一方、他の第２条〜第４条のネジ山３１ａの上面が基準螺旋軌道の基準面３１ｋ（図６に破線で示す面）に沿ってネジ山１２ａの下面１２ｍに当接しつつ螺進するため、上蓋３０は紙面上で右下方に傾斜することになる。
【００４７】
その結果、中栓２０の分離部２３の係合部２３ｃの右端が下方に押下されることになり、切断部２２の右端に集中する応力が働き、それによってその部位又は領域の切断部２２が優先的に切断される。そして、上蓋３０のさらなる螺進によって切断部２２の他の部分も順次切断されることになる。螺進の際、上蓋３０は、周に沿って連続的に傾斜する。よって、開栓時の螺進において、上蓋３０が傾きつつ旋回するコマの首ふり運動（歳差運動）をしつつ、かつネジ山のピッチ等にもよるが上蓋３０が容器本体１０側に全体的に変位し切断部２２が切断される。
【００４８】
また、上記第２実施形態の場合にも、容器本体１０に栓をするために上蓋３０を再度容器本体１０の口部１１に装着すると、上蓋３０に保持された分離部２３の筒状部２３ａが、図２（ｃ）に示すように、中栓本体２１の上端開口部２１ｕに装着され、それによって抽出口２１ｂが封止される。その際、図５（ｂ）に示すように、角β°位置から締め込む際の根元側で、上蓋３０側に設けた雌ネジ３１の４つのネジ山３１ａの第１及び第２膨出部３１ｇ，３１ｈにおける膨出面３１ｆが容器本体１０側の雄ネジ１２の第１条〜第４条のネジ山１２ａの下面１２ｍに略均等な力で当接するため、上蓋３０は、回転軸ＡＸに対して殆ど傾斜せず復元された状態（容器本体１０と同芯な状態）になり、この状態から終点まで下方に向けて滑らか、かつ、ガタツキ無く螺進する。この状態においては、上蓋３０が容器本体１０に対して同芯状態で容器本体１０に装着され、すなわち、分離部２３の筒状部２３ａが中栓本体２１の上端開口部２１ｕに均一に圧接される。
【００４９】
以上では実施形態に即して本発明を説明したが、本発明は、上記実施形態に限定されるものではない。例えば、第１及び第２螺合部５１，５２を構成するネジ山３１ａ，１２ａのピッチやリードは、容器１の目的や用途に応じて適宜調整変更することができる。つまり、第１及び第２螺合部５１，５２を１条のネジ山構成としたり、２条、３条、又は５条以上のネジ山構成としたりすることができる。
【００５０】
上記実施形態では、ネジ山３１ａ，１２ａの始点から終点に向けて一旦膨出部を形成した後は、ネジ山３１ａ，１２ａの回転軸ＡＸ方向のネジ山幅（膨出部１２ｇ，１２ｈ，３１ｇ，３１ｈの幅）を元に戻していないが、終点に向けてネジ山３１ａ，１２ａの回転軸ＡＸ方向のネジ山幅を始点同様に戻すこともできる。この場合、上蓋３０を奥まで締め込んだ段階でも若干のガタツキが残りやすくなるが、このような若干のガタツキが許容される場合もある。
【００５１】
上記実施形態において、切断部２２を切断する前に上蓋３０を傾斜させたが、分離部２３が上蓋３０に支持される前、例えば上蓋３０に分離部２３が嵌る（係合する）ときに上蓋３０を傾斜させてもよい。このように、上蓋３０が傾斜し始める例としては、分離部２３が上蓋３０に支持されるとき、支持される直前、切断部２２が切断されるとき、及び切断される直前が挙げられるが、これらの中でも支持する直前及び切断される直前であることが好ましい。さらに、上蓋３０の回転数を減らすためには、力が一番必要となる切断部２２を切断する直前が最も好ましい。
【００５２】
上記実施形態において、第２膨出部１２ｈ，３１ｈは、全て同じ回転位置で面が膨出する必要はなく、第１膨出部１２ｇ，３１ｇを有する第１条のネジ山１２ａ，３１ａの対角に位置するネジ山１２ａ，３１ａの面が一番遅れて膨出すればよい。
【００５３】
上記実施形態において、開栓前又は開栓時に上蓋３０を容器本体１０側に締め込む構造であれば、容器１及び上蓋３０等の構造は適宜変更することができる。例えば、中栓２０を設けず、容器本体１０に切断部を介して分離部を設けてもよい（例えば、特開２０１３−２４９１０８号公報参照）。また、中栓を２つ以上の部材で構成し、切断部を中栓本体において内側ではなく外側に設けて、分離部が切断部の切断によって抽出口を形成しない構成にしてもよい（例えば、特開２０１２−４６２０９号公報参照）。なお、上蓋３０を傾斜させる範囲（第１膨出部１２ｇ，３１ｇを設ける範囲）は、容器１の構造によって適宜変更することができ、例えば（ｉ）分離部２３を上蓋３０に係合させる間、（ｉｉ）切断部２２を切断している間、及び上記（ｉ）かつ（ｉｉ）の間のいずれかが適用される。
【００５４】
上記実施形態において、上蓋３０が上蓋本体と上蓋本体の内側に組み付けられた別部材とで構成されてもよい。この場合、第１螺合部５１は、上蓋本体及び別部材の少なくとも一方に設けられる。また、別部材に分離部２３を支持する突起等を設けてもよい。
【００５５】
上記実施形態において、分離部２３が抽出口２１ｂの内縁の抽出口部２１ｅに切断部２２を介して連接する構造としたが、分離部２３が最初から容器本体１０側から分離している構造でもよい。このような構造の場合、上蓋３０を分離部２３に支持させる締め込み力が主に低減される。
【００５６】
上記実施形態において、第１膨出部１２ｇ，３１ｇを１条のネジ山１２ａ，３１ａに設けたが、複数、好ましくは半数以下のネジ山１２ａ，３１ａに設けてもよい。
【００５７】
上記実施形態において、上蓋３０の傾斜に影響しない範囲でネジ山が連続しないで部分的に切れていてもよい。
【００５８】
上記実施形態において、図３及び図５に示す回転角度の範囲θは例示であり、適宜変更することができる。
【００５９】
上記実施形態において、容器本体１０に雄ネジ１２を設けたが、中栓２０に雄ネジ１２を設けてもよい。
【符号の説明】
【００６０】
１…容器、  １０…容器本体、  １１…口部、  １２…雄ネジ、  １２ｇ，１２ｈ…膨出部、  ２０…中栓、  ２１…中栓本体、  ２１ａ…係止部、  ２１ｂ…抽出口、  ２１ｃ…リップ、  ２１ｄ…環状凹部、  ２２…切断部、  ２３…分離部、  ２３ａ…筒状部、  ２３ｂ…天井壁、  ２３ｃ…係合部、  ３０…上蓋、  ３０ａ…周壁、  ３０ｂ…天井壁、  ３１…雌ネジ、  ３２…環状壁、  ３３…突出部、  ５１，５２…螺合部
【図１】
0006285313.tif 000002
【図２】
0006285313.tif 000003
【図３】
0006285313.tif 000004
【図４】
0006285313.tif 000005
【図５】
0006285313.tif 000006
【図６】
0006285313.tif 000007